(57)【要約】【課題】パネルなどの壁部材に対する展示物の陳列を面倒な作業なく迅速に行えるようにし、棚板やこの棚板上の商品の荷重が大きくても、この棚板および商品を安定的に支承可能にする。【解決手段】壁部材１に、ガイド溝２とガイド突起３とを垂直方向へ交互に配置し、支持部材１８に、ガイド突起３の背面側に係合可能な第１の円弧部１９と、ガイド溝２を介して隣り合う他のガイド突起３の前面側に支承される第２の円弧部２０と、ガイド溝２の一部に突設された支承突起２１と、棚板の先端部が挿入可能な棚板挿入溝２２と、棚板の先端部を支承する棚板支承部２３と、棚板挿入溝２２に挿入された棚板の先端部を保持する締め付けネジ２５と、を備える。【選択図】図４
0003124810.tif 000002
【実用新案登録請求の範囲】
【請求項１】
展示物を支持部材により壁部材に支持させるための展示物支持装置であって、
前記壁部材は、
斜め下方に向かって開口する傾斜状のガイド溝と、
該ガイド溝を形成するとともに、該ガイド溝上にオーバハングするように設けられた円弧面を持つガイド突起と、を垂直方向へ交互に配置したものからなり、
前記支持部材は、
前記ガイド溝内に挿入されて該ガイド溝の終端付近で前記ガイド突起の背面側に係合可能な第１の円弧部と、
該第１の円弧部の下方に連続し、前記ガイド溝を介して隣り合う他のガイド突起の前面側に支承される第２の円弧部と、
該第２の円弧部の下方に連続し、前記ガイド溝の下方に隣り合う他のガイド溝の一部に支承されるように突設された支承突起と、
前記第１の円弧部、第２の円弧部および支承突起がある側とは反対側の前方に開口するように形成されて棚板の先端部が挿入可能な棚板挿入溝と、
この棚板挿入溝に延設されて、棚板の先端部付近を支承する棚板支承部と、
前記棚板挿入溝に挿入された棚板の先端部を締め付け保持する締め付けネジと、を備えることを特徴とする展示物支持装置。
【考案の詳細な説明】
【技術分野】
【０００１】
本考案は、商品などの展示物を、パネルなどの壁部材に支持させた支持部材上に載置して陳列、展示するための展示物支持装置に関する。
【背景技術】
【０００２】
デパートや商店などでは、商品等の展示物を陳列するのに様々な展示物陳列装置が提供されている。この展示物陳列装置は、例えば複数の支柱を上部および下部の横桟により連結して枠体を構成し、これらの各支柱の前面に、複数の係止孔を上下方向に一定間隔で設けたものを持つ。
【０００３】
そして、各支柱において対応する位置に配置された、小形の複数の係止孔に、金属板のブラケットの後端に形成された係止フックを、着脱可能に係止可能にしている（例えば、特許文献１、２参照）。従って、このように係止された支柱上に支持された左右のブラケット上に、棚板の両端部を載置することで、この棚板上に商品を載せて陳列、展示することができる。
【特許文献１】特開２００３−３１５６６０号公報
【特許文献２】特開平０９−０５１８３５号公報
【考案の開示】
【考案が解決しようとする課題】
【０００４】
しかしながら、このような従来の展示物陳列装置にあっては、前記小形の係止孔に対し板状のブラケットが持つ係止フックを係止させる構成となっているため、その係止作業が面倒であるばかりか、ブラケットがその係止フック部分を中心として左右に揺動またはガタ付き、ブラケット上の棚板やこの棚板上の商品等の展示状態が不安定になるという問題があった。特に、棚板やこの棚板上の商品の荷重が大きい場合には、ブラケットが係止フック付近を中心として撓み変形し、遂には係止孔から係止フックが外れ、棚板が傾いたり商品とともに落下したりして、商品を安全に展示できなくなる場合があった。
【０００５】
本考案は、このような従来の問題を解決するものであり、パネルなどの壁部材に対する展示物の陳列を面倒な作業なく迅速に行えるようにするとともに、商品や棚板の荷重が大きくても、この棚板および商品を安定的に支承して、商品の陳列、展示を行うことができる展示物支持装置を得ることを目的とする。
【課題を解決するための手段】
【０００６】
前記目的達成のために、本考案に係る展示物支持装置は、展示物を支持部材により壁部材に支持させるための展示物支持装置であって、前記壁部材は、斜め下方に向かって開口する傾斜状のガイド溝と、該ガイド溝を形成するとともに、該ガイド溝上にオーバハングするように設けられた円弧面を持つガイド突起と、を垂直方向へ交互に配置したものからなり、前記支持部材は、前記ガイド溝内に挿入されて該ガイド溝の終端付近で前記ガイド突起の背面側に係合可能な第１の円弧部と、該第１の円弧部の下方に連続し、前記ガイド溝を介して隣り合う他のガイド突起の前面側に支承される第２の円弧部と、該第２の円弧部の下方に連続し、前記ガイド溝の下方に隣り合う他のガイド溝の一部に支承されるように突設された支承突起と、前記第１の円弧部、第２の円弧部および支承突起がある側とは反対側の前方に開口するように形成されて棚板の先端部が挿入可能な棚板挿入溝と、この棚板挿入溝に延設されて、棚板の先端部付近を支承する棚板支承部と、前記棚板挿入溝に挿入された棚板の先端部を締め付け保持する締め付けネジと、を備えることを特徴とする。
【０００７】
この構成により、第１の円弧部および第２の円弧部がある側とは反対側の端部を大きく持ち上げるように支持部材を手で支え、支持部材の第１の円弧部を前記ガイド溝内に斜め下方から挿入しながら、前記端部を下方へ降ろすという操作のみで、第１の円弧部を前記ガイド突起の背面側に係合させることができる。この係合の過程で支承突起が前記ガイド溝の下方に隣接する他のガイド溝内に挿入され、最終的にこの支持部材から手を離した際に、この支持部材の自重により第１の円弧部の下方に位置する第２の円弧部を下方に隣り合う他のガイド突起に支承させるとともに、支承突起を前記他のガイド溝を形成する下方のガイド突起に支承させることができる。また、支持部材の棚板挿入溝に棚板の先端部を挿入させた後、締め付けネジのねじ込み操作により、棚板の先端部を前記棚板挿入溝に着脱不可能に保持することができる。これにより棚板を、支持部材を用いて壁部材に安定かつ確実に支持させて、商品等の展示を脱落することなく安全に行うことができる。
【０００８】
また、前記支持部材はガイド突起と第１の円弧部との係合により壁部材に対する水平方向（前後方向）へのずれが規制され、第２の円弧部および支承突起の他のガイド溝に対する密接により支持部材への過大な荷重に対しても十分に耐えることができ、この支持部材および商品を安定に支持することができる。
【０００９】
更に、前記支持部材の棚板挿入溝に棚板の先端部を挿入させた後、締め付けネジのねじ込み操作により、棚板の先端部を前記棚板挿入溝に着脱かつ堅固に固定することができる。これにより棚板を、支持部材を用いて壁部材に安定かつ確実に支持させて、商品等の展示を脱落することなく安全に行うことができる。
【考案の効果】
【００１０】
本考案によれば、第１の円弧部を壁部材側のガイド溝内に斜め下方から挿入しながら、第１の円弧部とは反対側の端部を下方へ降ろすという操作のみで、第１の円弧部を前記ガイド突起の背面側に係合させることができ、この係合の過程で支承突起を前記ガイド溝の下方に連続する他のガイド溝内に挿入させることで、第１の円弧部の下方に位置する第２の円弧部を下方に隣り合う他のガイド突起に支承させることができ、さらに支承突起を第２のガイド溝を形成する下方のガイド突起に支承させることができるという効果を有する。
【考案を実施するための最良の形態】
【００１１】
以下、本考案の実施形態を、図面を参照しながら説明する。
図１および図２は、本考案の実施の形態による展示物支持装置の壁部材１を示す正面図および側面図である。この壁部材１は、壁構成部材１ａの上下端に上枠部材１ｂおよび下枠部材１ｃを連設したものからなる。
これらのうち、壁構成部材１ａは、斜め下方に向かって開口する傾斜状のガイド溝２と、このガイド溝２を形成するとともに、このガイド溝２上にオーバハングするように設けられた円弧面を持つガイド突起３とを、垂直方向に交互に配設したものからなる。
【００１２】
前記ガイド溝２は、これの終端部２ａから開口部２ｂにかけて「Ｊ」の字状をなし、その終端部２ａでは、ガイド突起３の背面側に切り込まれるように、切欠部２ｃが形成されている。なお、この切欠部２ｃは、必要に応じ省くこともできる。
【００１３】
また、前記ガイド溝２およびガイド突起３は、垂直方向へ交互に複数連接されており、壁部材１全体の取付面（室内壁や柱など）に対する平行度を保つとともに、補強のために、この壁部材１背面の複数箇所にＴ字型の支持脚５が一体に突設されている。
【００１４】
壁構成部材１ａの上端部であって、前記ガイド突起３に連続する部位には、係合突起６と前記取付面に当接される取付部７が設けられている。取付部７は係合突起６より上方へ延設され、その一部にネジが通されることで、そのネジにより壁構成部材１ａを室内壁や柱に固定可能にしている。
【００１５】
さらに、この取付部７の先端に係合突起８が形成されており、後述の上枠部材の一部（係合片）に係合可能になっている。一方、壁構成部材１ａの下端であって、前記ガイド突起３に連続する所定部位には、係合突起９が突設されている。
【００１６】
次に、上枠部材１ｂは、壁構成部材１ａに設けられたものと同一形態の１つのガイド溝２および２つのガイド突起３とが設けられている。また、そのうちの１つのガイド突起３に連続する所定部位に係合突起１０が設けられている。
【００１７】
さらに、他のガイド突起３に連続する部位にＬ字状の化粧縁１１が連接され、この化粧縁１１の先端にはＬ字状の係合片１２が連設されている。また、前記係合突起１０は、壁構成部材１ａの上端部の係合突起６に嵌合し、前記係合片１２は前記取付部７上端の係合突起８に嵌合している。
【００１８】
また、下枠部材１ｃは、Ｌ字状の化粧縁１３を有し、この化粧縁１３の上部に係合突起１４と取付部１５が連接されている。この取付部１５は先端に係合突起１６が形成されている。なお、取付部１５は一部にネジが通されて、下枠部材１ｃを室内壁や柱にネジ止め可能とされている。
また、前記係合突起１４は、壁構成部材１ａ下端の前記係合突起９に嵌合している。前記係合突起１６は壁構成部材１ａの下端側にある前記支持脚５に係止されている。
【００１９】
前記構成になる壁部材１は、はじめに、下枠部材１ｃをネジ１７によって室内壁や柱に固定し、この下枠部材１ｃの係合突起１４、１６に対し壁構成部材１ａ下端の係合突起９および支持脚５を係合する。次に、この壁構成部材１ａ上部の取付部７にネジ１７を通して、室内壁や柱に固定した上で、係合突起６、８に化粧縁１１の係合突起１０および係合片１２をそれぞれ係合する。
これにより、上下部に化粧縁１１、１３を有する壁構成部材１ａが、つまり壁部材１が室内壁や柱に垂直状態にて設立、保持される。
【００２０】
図３および図４は、前記壁部材１に着脱可能に装着される支持部材１８を示す正面図および側面図である。図３および図４では、この支持部材１８を、図１および図２に示した壁部材１に対し倍率を拡大して示してある。
【００２１】
この支持部材１８は、金属や合成樹脂の成形品からなり、好ましくは金属ではアルミなどの軽量金属のブロック体により構成され、合成樹脂では中空化によって軽量化されたブロック体により構成されている。それぞれ用いられる。また、この支持部材１８は、前記壁部材１のガイド溝２内に挿入されて、該ガイド溝２の終端付近で前記ガイド突起３の背面側に係合可能な第１の円弧部１９を備えている。
【００２２】
前記支持部材１８は、第２の円弧部２０を有する。この第２の円弧部２０は、第１の円弧部１９の下方に連続し、前記ガイド溝２を介して下方に隣り合う他のガイド突起３の前面側に支承される構成である。
更に、前記支持部材１８は、支承突起２１を有する。この支承突起２１は、第２の円弧部２０の下方に連続して設けられ、前記他のガイド突起３を介して下方に隣り合う他のガイド溝２の一部に支承されるように突設されている。
【００２３】
なお、前記第１の円弧部１９、第２の円弧部２０および支承突起２１は、前記ブロックの背面側（壁部材１への取り付け側）に形成されている。
前記支持部材１８は、前面側（壁部材１への取り付け側とは反対側）に横方向に凹設された棚板挿入溝２２と、この棚板挿入溝２２に連続して前方へ延設された所定長（所定幅）の棚板支承部２３とを有する。
【００２４】
棚板挿入溝２２は、前記棚板の後端部を受容して支持する部分である。この棚板挿入溝２２の上面は水平に形成されているものの、下面はブロックの後方向に向かって低くなるように傾斜する傾斜部２２ａとされている。このため、棚板挿入溝２２は入り口側に比べて奥側が上下方向に広くなり、棚板先端の挿入操作を容易化している。
【００２５】
前記棚板支承部２３の基部には、これの下面から前記棚板挿入溝２２内にネジ孔２４が形成されている。このネジ孔２４には、棚板支承部２３の下面側から締め付けネジ２５が挿入され、この締め付けネジ２５の先端は、棚板挿入溝２２内に突出されて、この棚板挿入部２２に挿入された棚板を、棚板挿入溝２２の上面側に押し当てるように機能する。
【００２６】
前記棚板挿入溝２２の上面と棚板支承部２３先端部の上面には、それぞれゴムや合成樹脂などからなる滑り止め部材２６、２７が装着されている。これらの滑り止め部材２６、２７はこれらの取り付け面より棚板支持側に所定量だけ突出している。これらの滑り止め部材２６、２７および締め付けネジ２５先端の三点により棚板２８が略水平状態にて支持される。
【００２７】
次に、支持部材１８を壁部材１に取り付ける手順を、図４および図５を参照しながら説明する。
まず、支持部材１８を手に保持した状態で、これの第１の円弧部１９付近より先端部を、壁部材１に形成されたガイド溝２の開口部２ｂに対向させるようにかざす。このとき、この支持部材１８を図５に示すように大きく傾け、その先端部をガイド溝２の開口部２ｂからガイド溝２内へ斜め下方から挿入していく。
【００２８】
このような支持部材１８先端部のガイド溝２内への挿入は、支持部材１８を図５の矢印Ｐ方向に回動操作することによってなされ、所定量の回動操作後は支持部材１８の自重に任せて回動させるようにしてもよい。
この支持部材１８の回動によって、第２の円弧部２０が、第１の円弧部１９の下方に連続し、前記ガイド溝２を介して下方に隣接する他のガイド突起３の前面に支持させるように、そのガイド溝２の壁面に支持部材１８の背面部分が密接する。
【００２９】
このとき、支持部材１８の支承突起２１がその先端部より第２の円弧部２０の下方に連続する他のガイド溝２内に入り込むとともに、図４に示すように、そのガイド溝２の壁面に密接状態にて支承される。このため、支持部材１８の棚板支承部２３の上面が略水平状態を維持することとなる。なお、この支持部材１８は、棚板のサイズ等に応じてサイズや壁部材１への取り付け個数が任意に選択することができる。
【００３０】
また、棚板２８を設置しない場合には、前記締め付けネジ２５はその先端（上端）が棚板支承部２３の傾斜面２３ａより突出しないように緩め操作してある。一方、棚板２８を設置する場合には、図４に鎖線で示すように、この棚板２８を僅か傾けながらその先端部を棚板挿入溝２２内の前記締め付けネジ２５の設置部および滑り止め部材２６間に挿し入れる。この挿し入れは、棚板２８の先端が棚板挿入溝２２の最大深さまで行い、その後、手を離す。続いて、締め付けネジ２５を、ドライバを用いてネジ孔２４内にねじ込む。
これにより、締め付けネジ２５の先端は滑り止め部材との間に棚板２８の先端部を挟圧することとなり、棚板２８は棚板支承部２３に対し容易に離脱しないように水平支持される。
【００３１】
以上のようにして、壁部材１に対して支持部材１８がワンタッチ操作に近い簡単操作によって装着され、また、この支持部材１８に対し棚板２８が簡単操作によって装着可能になる。この場合において、支持部材１８は板状でなくブロック状をなすため、壁面に対して大きな面積で対接し、上下方向および左右方向への変形は発生しない。従って、同方向への位置ずれや移動を生じることがなく、支持部材１８は壁面に安定指示される。
【００３２】
また、支持部材１８に対しては、棚板挿入溝２２に対する棚板２８の挿入作業が容易であるとともに、締め付けネジ２５による固定によって、棚板２８の支持状態が極めて安全、確実となり、棚板２８やこの棚板２８上に載せて展示する商品等の移動や落下を未然に回避することができる。
【００３３】
このように、本考案の実施形態では、壁部材１に、斜め下方に向かって開口する傾斜状のガイド溝２と、ガイド溝２を形成するとともに、該ガイド溝２上にオーバハングするように設けられた円弧面を持つガイド突起３と、を垂直方向へ交互に配置し、支持部材１８には、前記ガイド溝２内に挿入されて該ガイド溝２の終端付近でガイド突起３の背面側に係合可能な第１の円弧部１９と、第１の円弧部１９の下方に連続し、ガイド溝２を介して隣り合う他のガイド突起３の前面側に支承される第２の円弧部２０と、第２の円弧部２０の下方に連続し、ガイド溝２の下方に隣り合う他のガイド溝２の一部に支承されるように突設された支承突起２１と、第１の円弧部１９、第２の円弧部２０および支承突起２１がある側とは反対側の前方に開口するように形成されて棚板２８の先端部が挿入可能な棚板挿入溝２２と、この棚板挿入溝２２に延設されて、棚板の先端部付近を支承する棚板支承部２３と、棚板挿入溝２２に挿入された棚板の先端部を締め付け保持する締め付けネジ２５と、を設けたことにより、支持部材１８の単純操作によって、第１の円弧部１９をガイド突起３の背面側に係合させるとともに、支承突起２１がガイド溝２の下方に連続する他のガイド溝２内に挿入し、最終的にこの支持部材１８の自重により第１の円弧部１９の下方に位置する第２の円弧部２０を、下方に隣り合う他のガイド突起３に支承させ、支承突起２１を他のガイド溝２を形成する下方のガイド突起３に支承させることができる。これにより、支持部材１８を壁部材に安定保持することができる。また、支持部材１８の棚板挿入溝２２に棚板の先端部を挿入させた後、締め付けネジ２５のねじ込み操作により、棚板の先端部を前記棚板挿入溝２２に着脱不可能に保持することができる。これにより棚板を、支持部材１８を用いて壁部材１に確実に支持でき、商品等を脱落させることなく安定状態にて展示することができる。
【産業上の利用可能性】
【００３４】
本考案にかかる展示物支持装置は、パネルなどの壁部材に対する展示物の陳列を面倒な作業なく迅速に行えるようにするとともに、商品や棚板の荷重が大きくても、この棚板および商品を安定的に支承して、商品の陳列、展示を安全に行うことができるという効果を有し、商品などの展示物をパネルなどの壁部材に陳列、展示するために用いる展示物支持装置等に有用である。
【図面の簡単な説明】
【００３５】
【図１】本考案の実施形態による展示物支持装置の壁部材を示す正面図である。
【図２】図１に示す壁部材の側面図である。
【図３】本考案の実施形態による展示物支持装置の支持部材を示す正面図である。
【図４】本考案の実施形態による展示物支持装置の支持部材を示す側面断面図である。
【図５】本考案における壁部材に対する支持部材の着脱状態を示す側面図である。
【符号の説明】
【００３６】
１…壁部材、２…ガイド溝、３…ガイド突起、１８…支持部材、１９…第１の円弧部、２０…第２の円弧部、２１…支承突起、２２…棚板挿入溝、２３…棚板支承部、２５…締め付けネジ、２６，２７…滑り止め部材、２８…棚板
【図１】
0003124810.tif 000003
【図２】
0003124810.tif 000004
【図３】
0003124810.tif 000005
【図４】
0003124810.tif 000006
【図５】
0003124810.tif 000007